(57)【要約】【課題】装置製造の低コスト化を図ることができ、環境汚染の問題をなくし、回収再利用を容易にし、環境にやさしい放射線計測装置を得る。【解決手段】放射線計測装置１は、測定対象物を収納する測定対象物収納部６と、測定対象物収納部６に隣接して設けられ、測定対象物から放出される放射線を計測する放射線検出器２と、高比重樹脂材で作製され測定対象物収納部６及び放射線計測器２を覆うように設けられ放射線を遮蔽する遮蔽体５とを備えている。【選択図】　　　　図１
2004077319.tif 000002
【特許請求の範囲】
【請求項１】
測定対象物を収納する測定対象物収納部と、
前記測定対象物収納部に隣接して設けられ、前記測定対象物から放出される放射線を計測する放射線検出器と、
高比重樹脂材で作製され前記測定対象物収納部及び前記放射線計測器を覆うように設けられ放射線を遮蔽する遮蔽体と
を備えたことを特徴とする放射線計測装置。
【請求項２】
前記遮蔽体は、有底円筒状をなし、
円環状の円環部材が軸線方向に複数連結されてなる円筒の両端が円板状の円板部材により密閉されて形成されている
ことを特徴とする請求項１に記載の放射線計測装置。
【請求項３】
複数の前記円環部材は、前記測定対象物収納部及び前記放射線計測器の外径に対応して、各々異なる内外径を有する
ことを特徴とする請求項２に記載の放射線計測装置。
【請求項４】
前記遮蔽体は、薄厚帯状の前記高比重樹脂材が前記測定対象物収納部及び前記放射線計測器に巻き付けられて形成されている
ことを特徴とする請求項１に記載の放射線計測装置。
【請求項５】
前記測定対象物に対して囲むように設けられ、前記測定対象物から放出される放射線を計測する放射線検出器と、
高比重樹脂材で作製され前記放射線検出器の外周部に隣接して設けられて、前記放射線検出器を貫通する放射線を反射する遮蔽体と
を備えたことを特徴とする放射線計測装置。
【請求項６】
前記遮蔽体は、モールド成型により一体に作製されている
ことを特徴とする請求項１または５に記載の放射線計測装置。
【請求項７】
測定対象物を収納する測定対象物収納部、及び前記測定対象物収納部に隣接して設けられ前記測定対象物から放出される放射線を計測する放射線検出器とを有する放射線計測装置に用いられ放射線を遮蔽する放射線計測装置用遮蔽体であって、
高比重樹脂材で作製され前記測定対象物収納部及び前記放射線計測器を覆うように配設される
ことを特徴とする放射線計測装置用遮蔽体。
【請求項８】
有底円筒状をなし、
円環状の円環部材が軸線方向に複数連結されてなる円筒の両端が円板状の円板部材により密閉されて形成されている
ことを特徴とする請求項７に記載の放射線計測装置用遮蔽体。
【請求項９】
複数の前記円環部材は、前記測定対象物収納部及び前記放射線計測器の外径に対応して、各々異なる内外径を有している
ことを特徴とする請求項８に記載の放射線計測装置用遮蔽体。
【請求項１０】
薄厚帯状の前記高比重樹脂材が前記測定対象物収納部及び前記放射線計測器に巻き付けられて形成されている
ことを特徴とする請求項７に記載の放射線計測装置用遮蔽体。
【請求項１１】
モールド成型により一体に作製されている
ことを特徴とする請求項７に記載の放射線計測装置。
【請求項１２】
測定対象物を収納する測定対象物収納部、及び前記測定対象物収納部に隣接して設けられ前記測定対象物から放出される放射線を計測する放射線検出器とを有する放射線計測装置に用いられ、前記測定対象物収納部及び前記放射線計測器を覆うように配設され放射線を遮蔽する放射線計測装置用遮蔽体の作製方法であって、
複数の円環状の円環部材が高比重樹脂材で作製され、
複数の前記円環部材が軸線方向に複数連結されて円筒とされ、
前記円筒の両端が高比重樹脂材で作製された円板状の円板部材により密閉されて有底円筒状とされる
ことを特徴とする放射線計測装置用遮蔽体の製造方法。
【請求項１３】
複数の前記円環部材は、前記測定対象物収納部及び前記放射線計測器の外径に対応して、各々異なる内外径を有している
ことを特徴とする請求項１２に記載の放射線計測装置用遮蔽体。
【請求項１４】
測定対象物を収納する測定対象物収納部、及び前記測定対象物収納部に隣接して設けられ前記測定対象物から放出される放射線を計測する放射線検出器とを有する放射線計測装置に用いられ、前記測定対象物収納部及び前記放射線計測器を覆うように配設され放射線を遮蔽する放射線計測装置用遮蔽体の作製方法であって、
薄厚帯状の薄板部材が高比重樹脂材で作製され、
前記薄板部材が前記測定対象物収納部及び前記放射線計測器に巻き付けられて形成される
ことを特徴とする放射線計測装置用遮蔽体の製造方法。
【請求項１５】
測定対象物を収納する測定対象物収納部、及び前記測定対象物収納部に隣接して設けられ前記測定対象物から放出される放射線を計測する放射線検出器とを有する放射線計測装置に用いられ、前記測定対象物収納部及び前記放射線計測器を覆うように配設され放射線を遮蔽する放射線計測装置用遮蔽体の作製方法であって、
モールド成型により一体に作製される
ことを特徴とする放射線計測装置用遮蔽体の製造方法。
【発明の詳細な説明】
【０００１】
【発明の属する技術分野】
この発明は、原子力発電所および放射線取扱施設等における放射線を監視する放射線計測装置に関し、特にＸ線、ガンマ線等の電離放射線を遮蔽する遮蔽体を有する放射線計測装置、及び放射線計測装置用遮蔽体の製造方法に関するものである。
【０００２】
【従来の技術】
図１６は例えば特開平９−１９７０４８号公報に示された従来の放射線計測装置としての高温焼却炉モニタ用放射線計検出置の要部断面図である。図において、放射線測定対象である焼却炉排気は、図中矢印Ａに示すように焼却炉排気導入管２０２によってサンプルボックス２０３に導かれる。その後、焼却炉排気は、フィルタホルダ２０４にセットされているフィルタ２０５を通って、排気排出管２０６から図中矢印Ｂに示すように外部へ放出される。フィルタ２０５を通過するときに、その中のダストがフィルタ２０５に捕集され、そのダストから放出される放射線が、フィルタ２０５の直上に配設されている放射線検出器２０７によって計測される。高温焼却炉モニタ用放射線計検出置２０１には、外部から流入する外部放射線（バックグラウンド放射線）を低減する目的で鉛で作製された遮蔽体２０８が設けられている。遮蔽体２０８は、サンプルボックス２０３及び放射線検出器２０７を覆っている。
【０００３】
図１７は例えば文献「放射線監視設備カタログ」（三菱電機株式会社、２００１）に示された従来の放射線計測装置としてのガスモニタ検出装置の断面図である。図１８はガスモニタ検出装置の上面図である。ガスモニタ検出装置１０１は、内部に検出器１０２を有し、この検出器１０２に連通するガス入口パイプ１０３及びガス出口パイプ１０４が配設されている。そして、これらを囲うように鉛で作製された遮蔽体１０５が設けられている。
【０００４】
ガスモニタ検出装置１０１は、発電所および放射線取扱施設などに設置され、当該施設のプロセス流体のうち、ガス中の微少な放射能レベルを検出する。検出器１０２は、ガス入口パイプ１０３から取り込まれたガス中の微少な放射能レベルを検出し、放射能レベルに対応したパルス計数率を図示しない演算処理部に伝送する。そして、検出器１０２、ガス入口パイプ１０３およびガス出口パイプ１０４を遮蔽体１０５で囲むことによりバックグラウンド放射線を低減させてパルス計数率の高感度化を図っている。遮蔽体１０５は、ガス中の微少な放射能をガスモニタ検出装置１０１の外部に漏洩させない目的でも設置される。そして、遮蔽体１０５は、バックグラウンド放射線を効果的に遮蔽するために鉛遮蔽材を円筒形に鋳造して作製されている。
【０００５】
すなわち、図１６は放射線計測装置として高温焼却炉モニタ用放射線計検出置の例である。また、図１７及び図１８は放射線計測装置としてガスモニタ検出装置の例である。これらの放射線計測装置においては、計測精度を向上する目的で、外部から流入する外部放射線（バックグラウンド放射線）を低減するために鉛の遮蔽体を設ける。一方、測定対象物に含まれる放射線を外部に漏洩させないために遮蔽体を設ける。
【０００６】
【発明が解決しようとする課題】
このような構成の放射線計測装置においては、上述の目的で鉛の遮蔽体が設けられている。この遮蔽体は囲い込む装置の形によって、所定の形状に成型される必要がある。鉛の遮蔽体は、一般に鋳造によって作製される。そして、鋳物加工には高コストがかかるので問題であった。
【０００７】
また、鉛素材は加工時に工場環境が悪化し、鉛害を引き起こす危険性があるので問題であった。さらに、加工時および機器・装置の解体時に環境管理を実施しないと環境汚染につながるので問題であった。
【０００８】
この発明は上述のような課題を解決するためになされたものであり、遮蔽体の材料として高比重樹脂材を用いることにより、遮蔽体の加工作業を容易化し、加工作業時間を短縮され、装置製造の低コスト化を図ることができ、環境汚染の問題をなくし、回収再利用を容易にし、環境にやさしい放射線計測装置を得ることを目的とする。また、この放射線計測装置に用いられる放射線計測装置用遮蔽体及びその製造方法を得ることを目的とする。
【０００９】
【課題を解決するための手段】
この発明に係る放射線計測装置は、測定対象物を収納する測定対象物収納部と、測定対象物収納部に隣接して設けられ、測定対象物から放出される放射線を計測する放射線検出器と、高比重樹脂材で作製され測定対象物収納部及び放射線計測器を覆うように設けられ放射線を遮蔽する遮蔽体とを備えている。
【００１０】
また、遮蔽体は、有底円筒状をなし、円環状の円環部材が軸線方向に複数連結されてなる円筒の両端が円板状の円板部材により密閉されて形成されている。
【００１１】
また、複数の円環部材は、測定対象物収納部及び放射線計測器の外径に対応して、各々異なる内外径を有する。
【００１２】
また、遮蔽体は、薄厚帯状の高比重樹脂材が測定対象物収納部及び放射線計測器に巻き付けられて形成されている。
【００１３】
また、測定対象物に対して囲むように設けられ、測定対象物から放出される放射線を計測する放射線検出器と、高比重樹脂材で作製され放射線検出器の外周部に隣接して設けられて、放射線検出器を貫通する放射線を反射する遮蔽体とを備えている。
【００１４】
また、遮蔽体は、モールド成型により一体に作製されている。
【００１５】
また、高比重樹脂材は、ポリアミド等を利用しているため、耐熱性、耐薬品性、表面外観性にすぐれている。
【００１６】
また、この発明に係る放射線計測装置用遮蔽体は、測定対象物を収納する測定対象物収納部、及び測定対象物収納部に隣接して設けられ測定対象物から放出される放射線を計測する放射線検出器とを有する放射線計測装置に用いられ放射線を遮蔽する放射線計測装置用遮蔽体であって、高比重樹脂材で作製され測定対象物収納部及び放射線計測器を覆うように配設される。
【００１７】
また、有底円筒状をなし、円環状の円環部材が軸線方向に複数連結されてなる円筒の両端が円板状の円板部材により密閉されて形成されている。
【００１８】
また、複数の円環部材は、測定対象物収納部及び放射線計測器の外径に対応して、各々異なる内外径を有している。
【００１９】
また、薄厚帯状の高比重樹脂材が測定対象物収納部及び放射線計測器に巻き付けられて形成されている。
【００２０】
また、モールド成型により一体に作製されている。
【００２１】
また、この発明に係る放射線計測装置用遮蔽体の製造方法は、測定対象物を収納する測定対象物収納部、及び測定対象物収納部に隣接して設けられ測定対象物から放出される放射線を計測する放射線検出器とを有する放射線計測装置に用いられ、測定対象物収納部及び放射線計測器を覆うように配設され放射線を遮蔽する放射線計測装置用遮蔽体の作製方法であって、複数の円環状の円環部材が高比重樹脂材で作製され、複数の円環部材が軸線方向に複数連結されて円筒とされ、円筒の両端が高比重樹脂材で作製された円板状の円板部材により密閉されて有底円筒状とされる。
【００２２】
また、複数の円環部材は、測定対象物収納部及び放射線計測器の外径に対応して、各々異なる内外径を有している。
【００２３】
また、この発明に係る放射線計測装置用遮蔽体の製造方法は、測定対象物を収納する測定対象物収納部、及び測定対象物収納部に隣接して設けられ測定対象物から放出される放射線を計測する放射線検出器とを有する放射線計測装置に用いられ、測定対象物収納部及び放射線計測器を覆うように配設され放射線を遮蔽する放射線計測装置用遮蔽体の作製方法であって、薄厚帯状の薄板部材が高比重樹脂材で作製され、薄板部材が測定対象物収納部及び放射線計測器に巻き付けられて形成される。
【００２４】
また、この発明に係る放射線計測装置用遮蔽体の製造方法は、測定対象物を収納する測定対象物収納部、及び測定対象物収納部に隣接して設けられ測定対象物から放出される放射線を計測する放射線検出器とを有する放射線計測装置に用いられ、測定対象物収納部及び放射線計測器を覆うように配設され放射線を遮蔽する放射線計測装置用遮蔽体の作製方法であって、モールド成型により一体に作製される。
【００２５】
【発明の実施の形態】
実施の形態１．
図１はこの発明の放射線計測装置としてのガスモニタ装置の要部断面図である。図２はガスモニタ装置の上面図である。図３は図１のＩＩＩ−ＩＩＩ線に沿う矢視断面図である。図において、１は放射線計測装置としてのガスモニタ装置である。ガスモニタ装置１は、内部に放射線検出器としてのガスモニタ検出器２を有している。ガスモニタ装置１の内部には、ガスモニタ検出器２に隣接して、測定対象物収納部６が設けられている。測定対象物収納部６には外部に延出するガス入口パイプ３とガス出口パイプ４が連通している。そして、これらの機器を囲繞するように高比重樹脂材で作製された遮蔽体５が設けられている。遮蔽体５は円環状の円環部材５ａが複数連結されて円筒とされ、この円筒の両端部が円板部材５ｂで密閉されて形成されている
【００２６】
測定対象物としてのガスは、ガス入口パイプ３から流入し一時的に測定対象物収納部６に充填される。そして、測定対象物収納部６のガスに含まれる放射性物質から壊変により放出される放射線をガスモニタ検出器２が計測する。放射線の計測後、ガスはガス出口パイプ４を通して排出される。
【００２７】
ガスモニタ検出器２の計測感度を向上させるため、ガスモニタ検出器２と測定対象物収納部６を囲むように遮蔽体５が配置されている。遮蔽体５の配置により、ガスモニタ検出器２と測定対象物収納部６の内部に装置外部から侵入する外部放射線（バックグラウンド放射線）を低減することができ、計測感度を向上させることができる。一方、遮蔽体５はガス中の微少な放射能をガスモニタ装置１の外部に漏洩させずに計測する目的もあって配置されている。
【００２８】
遮蔽体５の材料として用いられる高比重樹脂材は、高比重の樹脂であり、この材質は電離放射線に対する減弱係数が鉛材と同等であるので、高比重樹脂材の電離放射線に対する遮蔽効果は鉛材と同じである。すなわち、遮蔽体５は、鉛と同じ遮蔽効果を発生するする程度の所定の比重の樹脂で作製されている。
【００２９】
樹脂材は加工性に優れているため、遮蔽体５の加工費削減につながり、ガスモニタ装置１の製作コストの削減に効果を奏する。高比重樹脂材には、例えばポリアミドを使用する。詳細には、カネボウ合繊株式会社の、名称：カネボウナイロン樹脂、銘柄：ＭＣ１０２Ｋ１３、化学名：ポリカプロラクタムアミドであり、成分及び含有量は、ポリカプロラクタムアミド２０％以下、タングステン８０％以上である。このポリアミドは耐熱性および耐薬品性に優れており、装置の運搬およびメンテナンスにおいて安全な装置を提供することができる。さらに、従来使用されてきた鉛素材と違い加工等による鉛中毒等の危険性もないため安全であり環境汚染の問題がない。さらに装置解体時、改造時および廃却時に問題となる回収再利用も容易であり、環境にやさしいガスモニタ装置１とすることができる。
【００３０】
遮蔽体５は図４に示すような円環状の円環部材５ａが、図５に示すように軸線方向に複数連結されてなる円筒形状とされ、図示しない円板状の円板部材により円筒の両端部が密閉されて形成されている。このような所定の形状の小片を複数製作し組み上げることで、遮蔽体５の加工をＮＣ工作機械によることができるので作業効率を向上させることができ加工費を削減することができる。組み上げた遮蔽体５の外形は、従来の鉛で作製されていたものと同等であり、遮蔽体５の厚みも従来のものと概略同じである。
【００３１】
図６はモールド成型により一体に作製した遮蔽体１５を用いたガスモニタ装置の説明図である。本実施の形態においては、遮蔽体５は円環状の円環部材５ａを複数連結して作製したが図６のようにモールド成型により一体に作製した遮蔽体１５としても良く、同様の効果が得られるとともにモールド成型とすることで強固で遮蔽性に優れた遮蔽体とすることができる。
【００３２】
実施の形態２．
図７はこの発明の放射線計測装置としてのガスモニタ装置の他の例を示す要部断面図である。図８は図７のＶＩＩＩ−ＶＩＩＩ線に沿う矢視断面図である。本実施の形態においては、高比重樹脂材で作製された薄厚帯状の薄板部材２５ａをガスモニタ検出器２と測定対象物収納部６の周囲に複数回巻き付けて装着する。その他の構成は実施の形態１と同様である。
【００３３】
本発明においては樹脂を材料に遮蔽体を作製するが、樹脂は加工が容易で薄板状に簡単に加工することが可能であるので、薄板状とした薄板部材２５ａを複数枚準備し、ガスモニタ検出器２、測定対象物収納部６、ガス入口パイプ３及びガス出口パイプ４に巻きつけて遮蔽体２５を構成する。
【００３４】
このような構成とすることにより、遮蔽体２５は囲繞する機器の形状に合わせて隙間なく最小の形状とすることができるので、実施の形態１と同様の効果を奏すると同時に装置を小型化できる。
【００３５】
実施の形態３．
図９はこの発明の放射線計測装置としてのガスモニタ装置のさらに他の例を示す要部断面図である。実施の形態１では、円環状の円環部材が軸線方向に複数連結されて形成される遮蔽体の例を述べたが、本実施の形態の遮蔽体３５においては、連結される複数の円環部材の内外径と軸方向の長さ（高さ）がそれぞれ異なっている。
【００３６】
すなわち、本実施の形態においては、ガスモニタ検出器２と測定対象物収納部６の外径に対応した複数の円環部材３５ａ〜３５ｆが軸方向に連結されて遮蔽体３５が構成されている。各円環部材３５ａ〜３５ｆは、ガスモニタ検出器２と測定対象物収納部６の外径に対応して、各々機器との隙間が最小となるよう最小の内径と放射線を遮蔽する所定の厚みとなる外径を有している。
【００３７】
このような構成とすることにより、遮蔽体３５は囲繞する機器の形状に合わせて余分な隙間のない最小の形状とすることができ装置を小型化できるとともに、連結される複数の円環部材３５ａ〜３５ｆは、ＮＣ工作機械により容易に加工ができるので作業効率を向上させることができるとともに加工費の削減を図ることができる。
【００３８】
実施の形態４．
図１０はこの発明の放射線計測装置としてのガスモニタ装置のさらに他の例を示す要部断面図である。本実施の形態においては、ガスモニタ検出器２の筐体が高比重樹脂材の遮蔽体４５ａで作製されている。すなわち、ガスモニタ検出器２の再外周部を構成する筐体と遮蔽体とが同じ部材遮蔽体４５ａで兼用されている。また、測定対象物収納部６が遮蔽体４５ｂで作製されている。そして、ガス入口パイプ３及びガス入口パイプ４は、遮蔽体４５ｂに貫通穴がくり貫かれて形成されている。そして、遮蔽体４５ａと遮蔽体４５ｂとで、機器全体を囲繞する遮蔽体４５を構成している。
【００３９】
このような構成とすることにより、実施の形態１に示す効果と同様の効果を得られるとともにガスモニタ装置の部品点数の削減、軽量化を図ることができる。
【００４０】
実施の形態５．
図１１はこの発明の放射線計測装置としてのダストモニタ検出装置の斜視図である。本発明の構成、すなわち、高比重樹脂材で作製した遮蔽体をダストモニタ検出装置に適用させても良い。
【００４１】
ダストモニタ検出装置は、発電所および放射線取扱施設の空気中のダストを移動ろ紙に集めダスト中の放射線を放射線検出器にて検出する。そして、ろ紙および検出器を囲繞するように遮蔽体を設けてバックグラウンド放射線を低減させて、検出器の感度を高めている。この遮蔽体の材料に従来の鉛素材に代わって高比重樹脂材を用いることで実施の形態１と同様の効果を得ることができる。
さらには、ダストモニタ検出装置に実施の形態２から４に示す形態を適用しても良い。
【００４２】
実施の形態６．
図１２はこの発明の放射線計測装置としての水モニタ検出装置の斜視図である。本発明の構成、すなわち、高比重樹脂材で作製した遮蔽体をさらに水モニタ検出装置に適用させても良い。
【００４３】
水モニタ検出装置は、発電所および放射線取扱施設のプロセス流体のうち、液体中の微少な放射線を放射線検出器にて検出する。そして、検出器および測定流体を囲繞するように遮蔽体を設けてバックグラウンドを低減させて、検出器の感度を高めている。この遮蔽体の材料に従来の鉛素材に代わって高比重樹脂材を用いることで実施の形態１と同様の効果を得ることができる。
さらには、水モニタ検出装置に実施の形態２から４に示す形態を適用しても良い。
【００４４】
実施の形態７．
上記実施の形態１から６では、放射線を遮蔽させることを目的として遮蔽体を用いる場合について述べたが、本実施の形態においては、放射線を反射させる目的で遮蔽体を用いる。
【００４５】
図１３はこの発明の放射線計測装置としての体表面汚染モニタ装置の斜視図である。図１４は体表面汚染モニタ装置の上面図である。図に示されるように、体表面汚染モニタ装置７は、円筒が軸方向に所定部分切り取られた形状の放射線検出器としてのファイバープレート８を有している。ファイバープレート８の外周部は、高比重樹脂材で作製された遮蔽体５５で覆われている。さらに遮蔽体５５の外周部は、側面板９で覆われている。遮蔽体５５は、例えばモールド成型により一体に作製される。
【００４６】
体表面汚染モニタ装置７は、ファイバープレート８内に測定対象物として人が入り、人体から放出される放射線をファイバープレート８により計測する。体表面汚染モニタ装置７の側面板９とファイバープレート８の間に遮蔽体５を配設すると、ファイバープレート８をすり抜けて体表面汚染モニタ装置７の外側方向に放出される放射線を遮蔽体５５で反射させ、体表面汚染モニタ装置７内部から計測放射線を逃がさないようにして放射線計測感度を向上させる。
【００４７】
このような構成の体表面汚染モニタ装置７においては、高比重樹脂材で作製された遮蔽体５５を当該装置へ適用することにより従来の鉛素材を用いた場合の反射効果を損なわずに、実施の形態１に示した加工性、環境適用性関して同様の効果を奏する。
【００４８】
実施の形態８．
図１５はこの発明の放射線計測装置としての体表面汚染モニタ装置の他の例を示す上面図である。本実施の形態においては、遮蔽体６５を側面板の機能を兼用している。このような構成とすることにより部品点数を削減し、コスト削減を図ることができる。
【００４９】
以上のように、この発明によれば、Ｘ線、ガンマ線等の電離放射線を遮蔽する必要のある装置あるいは装置の部分に、従来用いられてきた鉛遮蔽材の代わりとして高比重樹脂材を適用すると、加工は簡単であるため装置製造の低コスト化を図ることができ、加工性に富むので任意形状で装置に設置・装着することができるとともに、使用に際して環境汚染の問題はなく回収再利用が可能であるので、環境にやさしい装置とすることができる。
【００５０】
【発明の効果】
この発明に係る放射線計測装置は、測定対象物を収納する測定対象物収納部と、測定対象物収納部に隣接して設けられ、測定対象物から放出される放射線を計測する放射線検出器と、高比重樹脂材で作製され測定対象物収納部及び放射線計測器を覆うように設けられ放射線を遮蔽する遮蔽体とを備えている。そのため、遮蔽体の材料として高比重樹脂材を用いたことにより、加工作業が容易化され、加工作業時間も短縮され、装置製造の低コスト化を図ることができる。使用に際して環境汚染の問題はなく回収再利用が可能であるので、環境にやさしい装置とすることができる。
【００５１】
また、遮蔽体は、有底円筒状をなし、円環状の円環部材が軸線方向に複数連結されてなる円筒の両端が円板状の円板部材により密閉されて形成されている。そのため、遮蔽体の加工を例えばＮＣ工作機械等により容易に加工することができるので作業効率を向上させることができ加工費を削減することができる。
【００５２】
また、複数の円環部材は、測定対象物収納部及び放射線計測器の外径に対応して、各々異なる内外径を有する。そのため、遮蔽体を、囲繞する機器の形状に合わせて余分な隙間のない最小の形状とすることができ装置を小型化できるとともに、連結される複数の部材は、ＮＣ工作機械等により容易に加工ができるので作業効率を向上させることができるとともに加工費の削減を図ることができる。
【００５３】
また、遮蔽体は、薄厚帯状の高比重樹脂材が測定対象物収納部及び放射線計測器に巻き付けられて形成されている。そのため、遮蔽体を、囲繞する機器の形状に合わせて隙間なく最小の形状とすることができ、装置の小型化を図ることができる。
【００５４】
また、測定対象物に対して囲むように設けられ、測定対象物から放出される放射線を計測する放射線検出器と、高比重樹脂材で作製され放射線検出器の外周部に隣接して設けられて、放射線検出器を貫通する放射線を反射する遮蔽体とを備えている。そのため、放射線検出器をすり抜けて放射線計測装置の外側方向に放出される放射線を遮蔽体で反射させ、放射線計測装置内部から計測放射線を逃がさないようにして放射線計測感度を向上させることができる。
【００５５】
また、遮蔽体は、モールド成型により一体に作製されている。そのため、強固で遮蔽性に優れた遮蔽体とすることができる。
【００５６】
また、高比重樹脂材は、ポリアミド等を含む。そのため、耐熱性および耐薬品性に優れ、運搬およびメンテナンスにおいて安全な装置とすることができる。さらに、従来使用されてきた鉛素材と違い加工等による鉛中毒等の危険性もないため安全であり環境汚染の問題がなくなる。さらにまた、装置解体時、改造時および廃却時に問題となる回収再利用も容易であり、環境にやさしい装置とすることができる。
【００５７】
また、この発明に係る放射線計測装置用遮蔽体は、測定対象物を収納する測定対象物収納部、及び測定対象物収納部に隣接して設けられ測定対象物から放出される放射線を計測する放射線検出器とを有する放射線計測装置に用いられ放射線を遮蔽する放射線計測装置用遮蔽体であって、高比重樹脂材で作製され測定対象物収納部及び放射線計測器を覆うように配設される。そのため、加工作業が容易化され、加工作業時間も短縮され、低コスト化を図ることができる。使用に際して環境汚染の問題はなく回収再利用が可能であるので、環境にやさしいものとすることができる。
【００５８】
また、有底円筒状をなし、円環状の円環部材が軸線方向に複数連結されてなる円筒の両端が円板状の円板部材により密閉されて形成されている。そのため、例えばＮＣ工作機械等により容易に加工することができるので作業効率を向上させることができ加工費を削減することができる。
【００５９】
また、複数の円環部材は、測定対象物収納部及び放射線計測器の外径に対応して、各々異なる内外径を有している。そのため、囲繞する機器の形状に合わせて余分な隙間のない最小の形状とすることができ、連結される複数の部材は、ＮＣ工作機械等により容易に加工ができるので作業効率を向上させることができるとともに加工費の削減を図ることができる。
【００６０】
また、薄厚帯状の高比重樹脂材が測定対象物収納部及び放射線計測器に巻き付けられて形成されている。そのため、囲繞する機器の形状に合わせて隙間なく最小の形状とすることができ小型化を図ることができる。
【００６１】
また、モールド成型により一体に作製されている。そのため、強固で遮蔽性に優れた遮蔽体とすることができる。
【００６２】
また、この発明に係る放射線計測装置用遮蔽体の製造方法は、測定対象物を収納する測定対象物収納部、及び測定対象物収納部に隣接して設けられ測定対象物から放出される放射線を計測する放射線検出器とを有する放射線計測装置に用いられ、測定対象物収納部及び放射線計測器を覆うように配設され放射線を遮蔽する放射線計測装置用遮蔽体の作製方法であって、複数の円環状の円環部材が高比重樹脂材で作製され、複数の円環部材が軸線方向に複数連結されて円筒とされ、円筒の両端が高比重樹脂材で作製された円板状の円板部材により密閉されて有底円筒状とされる。そのため、加工作業が容易化され、加工作業時間も短縮され、低コスト化を図ることができる。使用に際して環境汚染の問題はなく回収再利用が可能であるので、環境にやさしいものとすることができる。
【００６３】
また、複数の円環部材は、測定対象物収納部及び放射線計測器の外径に対応して、各々異なる内外径を有している。そのため、囲繞する機器の形状に合わせて余分な隙間のない最小の形状とすることができ、連結される複数の部材は、ＮＣ工作機械等により容易に加工ができるので作業効率を向上させることができるとともに加工費の削減を図ることができる。
【００６４】
また、この発明に係る放射線計測装置用遮蔽体の製造方法は、測定対象物を収納する測定対象物収納部、及び測定対象物収納部に隣接して設けられ測定対象物から放出される放射線を計測する放射線検出器とを有する放射線計測装置に用いられ、測定対象物収納部及び放射線計測器を覆うように配設され放射線を遮蔽する放射線計測装置用遮蔽体の作製方法であって、薄厚帯状の薄板部材が高比重樹脂材で作製され、薄板部材が測定対象物収納部及び放射線計測器に巻き付けられて形成される。そのため、囲繞する機器の形状に合わせて隙間なく最小の形状とすることができ小型化を図ることができる。
【００６５】
また、この発明に係る放射線計測装置用遮蔽体の製造方法は、測定対象物を収納する測定対象物収納部、及び測定対象物収納部に隣接して設けられ測定対象物から放出される放射線を計測する放射線検出器とを有する放射線計測装置に用いられ、測定対象物収納部及び放射線計測器を覆うように配設され放射線を遮蔽する放射線計測装置用遮蔽体の作製方法であって、モールド成型により一体に作製される。そのため、強固で遮蔽性に優れた遮蔽体とすることができる。
【図面の簡単な説明】
【図１】この発明の実施の形態１の放射線計測装置としてのガスモニタ装置の要部断面図である。
【図２】ガスモニタ装置の上面図である。
【図３】図１のＩＩＩ−ＩＩＩ線に沿う矢視断面図である。
【図４】円環部材の詳細を示す斜視図である。
【図５】複数の円環部材を軸方向に積層する様子を示す斜視図である。
【図６】モールド成型により一体に作製した遮蔽体を用いたガスモニタ装置の説明図である。
【図７】この発明の実施の形態２の放射線計測装置としてのガスモニタ装置を示す要部断面図である。
【図８】図７のＶＩＩＩ−ＶＩＩＩ線に沿う矢視断面図である。
【図９】この発明の実施の形態３の放射線計測装置としてのガスモニタ装置を示す要部断面図である。
【図１０】この発明の実施の形態４の放射線計測装置としてのガスモニタ装置を示す要部断面図である。
【図１１】この発明の実施の形態５の放射線計測装置としてのダストモニタ検出装置の斜視図である。
【図１２】この発明の実施の形態６の放射線計測装置としての水モニタ検出装置の斜視図である。
【図１３】この発明の実施の形態７の放射線計測装置としての体表面汚染モニタ装置の斜視図である。
【図１４】体表面汚染モニタ装置の上面図である。
【図１５】この発明の実施の形態８の放射線計測装置としての体表面汚染モニタ装置を示す上面図である。
【図１６】従来の放射線計測装置としての高温焼却炉モニタ用放射線計検出置の要部断面図である。
【図１７】従来の放射線計測装置としてのガスモニタ検出装置の断面図である。
【図１８】ガスモニタ検出装置の上面図である。
【符号の説明】
２　ガスモニタ検出器（放射線検出器）、５，１５，２５，３５，４５，５５，６５　遮蔽体、５ａ，３５ａ〜３５ｆ　円環部材、５ｂ　円板部材、６　測定対象物収納部、８　ファイバープレート（放射線検出器）、２５ａ　薄板部材。
【図１】
2004077319.tif 000003
【図２】
2004077319.tif 000004
【図３】
2004077319.tif 000005
【図４】
2004077319.tif 000006
【図５】
2004077319.tif 000007
【図６】
2004077319.tif 000008
【図７】
2004077319.tif 000009
【図８】
2004077319.tif 000010
【図９】
2004077319.tif 000011
【図１０】
2004077319.tif 000012
【図１１】
2004077319.tif 000013
【図１２】
2004077319.tif 000014
【図１３】
2004077319.tif 000015
【図１４】
2004077319.tif 000016
【図１５】
2004077319.tif 000017
【図１６】
2004077319.tif 000018
【図１７】
2004077319.tif 000019
【図１８】
2004077319.tif 000020